(57)【要約】【課題】取り出し作業を簡素化することができる壁埋込型の空調室内機の据付枠の提供。【解決手段】据付枠２０は、建物の壁内に埋め込まれるように設置される壁埋込型の空調室内機１の据付枠であって、枠本体２５と、ネジ３１，３２，３３，３４とを備えている。枠本体２５は、複数の枠形成部材２１，２２，２３，２４を有する。枠形成部材２１，２２，２３，２４には、ネジ貫通孔３１ａ，３１ｂ，３２ａ，３２ｂ，３３ａ，３３ｂ，３４ａ，３４ｂが設けられている。また、枠本体２５は、複数の枠形成部材２１，２２，２３，２４を組み合わせることで形成される。ネジ３１，３２，３３，３４は、枠本体２５の内側空間Ｓからネジ貫通孔３１ａ，３１ｂ，３２ａ，３２ｂ，３３ａ，３３ｂ，３４ａ，３４ｂに挿入される。また、ネジ３１，３２，３３，３４は、枠形成部材２１，２２，２３，２４同士を固定可能である。【選択図】図２
2010190502.tif 000002
【特許請求の範囲】
【請求項１】
建物の壁内に埋め込まれるように設置される壁埋込型の空調室内機（１）の据付枠であって、
ネジ貫通孔（３１ａ，３１ｂ，３２ａ，３２ｂ，３３ａ，３３ｂ，３４ａ，３４ｂ，１３１ａ，１３１ｂ，１３２ａ，１３２ｂ，１３３ａ，１３３ｂ，１３４ａ，１３４ｂ，２３１ａ，２３１ｂ，２３２ａ，２３２ｂ，２３３ａ，２３３ｂ，２３４ａ，２３４ｂ，３３１ａ，３３１ｂ，３３２ａ，３３２ｂ，３３３ａ，３３３ｂ，３３４ａ，３３４ｂ）が設けられている複数の枠形成部材（２１，２２，２３，２４，１２１，１２２，１２３，１２４，２２１，２２２，２２３，２２４，３２１，３２２，３２３，３２４）を有し、複数の前記枠形成部材を組み合わせることで形成される枠本体（２５，１２５，２２５，３２５）と、
前記枠本体の内部空間（Ｓ）から前記ネジ貫通孔に挿入され、前記枠形成部材同士を固定可能なネジ（３１，３２，３３，３４，１３１，１３２，１３３，１３４，２３１，２３２，２３３，２３４，３３１，３３２，３３３，３３４）と、
を備える据付枠（２０，１２０，２２０，３２０）。
【請求項２】
前記枠形成部材は、
第１板部（１２２ｂ）と、前記第１板部の一方の端部である第１端部から立設される第２板部（１２２ａ）と、前記第１板部の他方の端部である第２端部から前記第２板部とは反対側に延びるように立設されており前記ネジ貫通孔のうちの第１のネジ貫通孔（１３１ｂ）が設けられている第１フランジ部（１２７ｂ）とを含む第１枠形成部材（１２２）と、
第３板部（１２１ａ）と、前記第３板部の第３端部から立設されており前記ネジ貫通孔のうちの前記第１のネジ貫通孔とは別の第２のネジ貫通孔（１３１ａ）が設けられている第２フランジ部（１２１ｅ）とを含み、前記第１枠形成部材とは別の第２枠形成部材（１２１）と、を有し、
前記第１枠形成部材は、前記第１枠形成部材と前記第２枠形成部材とが前記ネジ（１３１）によって固定された状態で、前記第１板部の前記第１端部と前記第２端部との距離が、前記ネジの先端部（１３１ｃ）から前記第１のネジ貫通孔までの距離よりも長くなるように構成されている、
請求項１に記載の据付枠（１２０）。
【請求項３】
前記枠形成部材は、
第１板部（２２１ａ）と、前記第１板部の端部から立設されており前記ネジ貫通孔のうちの第１のネジ貫通孔（２３１ａ）が設けられているフランジ部（２２１ｅ）とを含む第１枠形成部材（２２１）と、
前記ネジ貫通孔のうちの前記第１のネジ貫通孔とは別の第２のネジ貫通孔（２３１ｂ）が設けられている第２板部を含み、前記第１枠形成部材とは別の第２枠形成部材（２２２）と、を有し、
前記ネジ（２３１）は、前記第１枠形成部材と前記第２枠形成部材とを固定する際に、前記枠本体（２２５）を前記壁内に固定可能である、
請求項１に記載の据付枠（２２０）。
【発明の詳細な説明】
【技術分野】
【０００１】
本発明は、壁埋込型空気室内機の据付枠に関する。
【背景技術】
【０００２】
従来より、建物の壁内に埋め込まれるように設置される壁埋込型の空調室内機がある。また、例えば、特許文献１（特開平５−１８７６６１）に開示されている空気調和機（空調室内機に相当）が壁内に設置される場合、まず、壁に据付枠が埋め込まれ、その後、壁に埋め込まれた据付枠に空気調和機が嵌め込まれている。
【発明の概要】
【発明が解決しようとする課題】
【０００３】
ところで、空調室内機が固定される据付枠は、外側からネジ止めされて組み立てられていることが多い。また、据付枠が壁内に装着される場合、据付枠が、壁と一体化するように、組み立てられ、壁に埋め込まれることがある。このように、外側からネジ止めされて組み立てられた据付枠が壁内に埋め込まれた場合、据付枠を壁内から取り出すためには、壁を切開する作業が必要となる。このため、据付枠を壁内から取り出す作業が煩雑になるおそれがある。
【０００４】
そこで、本発明の課題は、取り出し作業を簡素化することができる壁埋込型の空調室内機の据付枠を提供することにある。
【課題を解決するための手段】
【０００５】
第１発明に係る据付枠は、建物の壁内に埋め込まれるように設置される壁埋込型の空調室内機の据付枠であって、枠本体と、ネジとを備えている。枠本体は、複数の枠形成部材を有する。枠形成部材には、ネジ貫通孔が設けられている。また、枠本体は、複数の枠形成部材を組み合わせることで形成される。ネジは、枠本体の内側空間からネジ貫通孔に挿入される。また、ネジは、枠形成部材同士を固定可能である。
【０００６】
第１発明に係る据付枠では、複数の枠形成部材が組み合わされることで、枠本体が形成されている。また、ネジは、枠本体の内側空間からネジ貫通孔に挿入されて、枠形成部材同士を固定可能である。このため、枠本体の内側空間から枠形成部材同士の固定を解除することができる。したがって、据付枠を壁内から取り外す作業を行う作業者がネジおよび固定が解除された枠形成部材を壁内から取り出すことで、据付枠を壁内から取り出すことができる。
【０００７】
これによって、取り出し作業を簡素化することができる。
【０００８】
第２発明に係る据付枠は、第１発明の据付枠であって、枠形成部材は、第１枠形成部材と、第１枠形成部材とは別の第２枠形成部材とを有する。第１枠形成部材は、第１板部と、第２板部と、第１フランジ部とを含む。第２板部は、第１板部の一方の端部である第１端部から立設されている。第１フランジ部は、第１板部の他方の端部である第２端部から、第２板部とは反対側に延びるように立設されている。また、第１フランジ部には、ネジ貫通孔のうちの第１のネジ貫通孔が設けられている。第２枠形成部材は、第３板部と、第２フランジ部とを含む。第２フランジ部は、第３板部の第３端部から立設されている。また、第２フランジ部には、ネジ貫通孔のうちの第１のネジ貫通孔とは別の第２のネジ貫通孔が設けられている。さらに、第１枠形成部材は、第１枠形成部材と第２枠形成部材とがネジによって固定された状態で、第１板部の第１端部と第２端部との距離がネジの先端部から第１のネジ貫通孔までの距離よりも長くなるように構成されている。
【０００９】
第２発明に係る据付枠では、第１枠形成部材と第２枠形成部材とがネジによって固定された状態において、第１板部の第１端部と第２板部との距離が、ネジの先端部から第１のネジ貫通孔までの距離よりも長くなるように構成されている。このため、例えば、ネジの先端部が第２のネジ貫通孔、第１のネジ貫通孔の順に挿入されて、ネジによって第１枠形成部材と第２枠形成部材とが固定されている場合には、据付枠が壁内に設置された際に、ネジの先端部が、壁内の壁面に接触しないようにすることができる。
【００１０】
これによって、壁内への据付枠の装着作業、および、壁内からの据付枠の取り出し作業を容易に行うことができる。
【００１１】
第３発明の据付枠は、第１発明の据付枠であって、枠形成部材は、第１枠形成部材と、第１枠形成部材とは別の第２枠形成部材とを有する。第１枠形成部材は、第１板部と、フランジ部とを含む。フランジ部は、第１板部の端部から立設されている。また、フランジ部には、ネジ貫通孔のうちの第１のネジ貫通孔が設けられている。第２枠形成部材は、第２板部を含む。第２板部には、ネジ貫通孔のうちの第１のネジ貫通孔とは別の第２のネジ貫通孔が設けられている。また、ネジは、第１枠形成部材と第２枠形成部材とを固定する際に、枠本体を壁内に固定可能である。
【００１２】
第３発明に係る据付枠では、第１枠形成部材と第２枠形成部材とが固定される際に、枠本体が壁内に固定される。このため、枠形成部材同士を固定するネジによって、据付枠を壁内の壁面に装着することができる。
【００１３】
これによって、据付枠を壁内の壁面に装着するための固定部材が枠形成部材同士を固定するためのネジとは別に用いられる場合と比較して、部品点数を削減することができる。
【発明の効果】
【００１４】
第１発明に係る据付枠では、取り出し作業を簡素化することができる。
【００１５】
第２発明に係る据付枠では、壁内への据付枠の装着作業、および、壁内からの据付枠の取り出し作業を容易に行うことができる。
【００１６】
第３発明に係る据付枠では、部品点数を削減することができる。
【図面の簡単な説明】
【００１７】
【図１】本発明の第１実施形態に係る据付枠に固定された状態の空調室内機の断面図。
【図２】本発明の第１実施形態に係る据付枠の分解斜視図。
【図３】本発明の第１実施形態に係る据付枠が壁内に装着された状態を示す斜視図（壁は省略）。
【図４】据付枠の概略縦断面拡大図。
【図５】据付枠の概略縦断面拡大図。
【図６】本発明の第２実施形態に係る据付枠の分解正面図。
【図７】本発明の第２実施形態に係る据付枠の概略縦断面拡大図。
【図８】変形例に係る据付枠の分解正面図。
【図９】変形例に係る据付枠の概略縦断面拡大図。
【図１０】本発明の第３実施形態に係る据付枠の分解正面図。
【図１１】本発明の第３実施形態に係る据付枠の概略縦断面拡大図。
【発明を実施するための形態】
【００１８】
−第１実施形態−
本発明の第１実施形態に係る据付枠２０を説明する前に、据付枠２０に固定される空調室内機１について説明する。この空調室内機１は、建物等の壁１０内に設置されるタイプの空気調和機の室内機である。以下、空調室内機１の構成について説明する。
【００１９】
＜空調室内機の構成＞
図１は、壁埋込型空調室内機１の据付状態の断面図である。この空調室内機１は、ケーシング２と、前面グリル６とを備えている。
【００２０】
ケーシング２は、前面に開口２ａを有する略長方形状の箱状の部材である。また、ケーシング２内には、クロスフローファン４や室内熱交換器３等が収納されている。
【００２１】
クロスフローファン４は、円筒形状を呈しており、周面には回転軸方向に羽根が設けられている。また、クロスフローファン４は、回転駆動することによって、回転軸と交わる方向に空気流を生成する。このため、クロスフローファン４は、室内の空気をケーシング２内に吸い込ませるとともに、室内熱交換器３との間で熱交換を行った後の空気を室内に吹き出させることができる。
【００２２】
室内熱交換器３は、長手方向両端で複数回折り返されてなる伝熱管と、伝熱管が挿通する複数のフィンとからなり、接触する空気との間で熱交換を行う。また、室内熱交換器３は、室外機（図示せず）の有する室外熱交換器と接続して冷媒回路を構成している。
【００２３】
前面グリル６は、ケーシング２の開口２ａを覆うように、ケーシング２の前面に取り付けられる。また、前面グリル６には、空調室内機１の長手方向、すなわち、水平方向に長い複数のスリット状の開口からなる吸い込み口６ａと、吹き出し口６ｂとが形成されている。吸い込み口６ａは、室内の空気をケーシング２内に取り込むための開口である。また、吹き出し口６ｂ近傍には、水平フラップ７が設けられている。水平フラップ７は、略長方形状の板状の部材であって、吹き出し口６ｂから吹き出される空気を案内する。具体的には、水平フラップ７は、空調室内機１の長手方向に平行な回転軸を有しており、回転軸を中心に回転駆動されることによって、空気の案内方向を変更する。これによって、室内から空調室内機１内に取り込まれた空気が、熱交換によって調和され、吹き出し口６ｂを通じて室内に吹き出される。
【００２４】
次に、空調室内機１を壁１０内に設置するための据付枠２０について説明する。
【００２５】
＜据付枠の構成＞
図２は、据付枠２０の分解図であり、図３は、据付枠２０が壁１０内に装着された状態を示す図である。なお、ここでいう「上下」および「左右」は、図２における「上下」および「左右」を意味している。
【００２６】
据付枠２０は、枠本体２５と、固定部材３１，３２，３３，３４とを備えている。
【００２７】
枠本体２５は、第１枠形成部材２１、第２枠形成部材２２、第３枠形成部材２３および第４枠形成部材２４を有しており、各枠形成部材２１，２２，２３，２４が組み合わされることによって構成される。
【００２８】
第１枠形成部材２１は、図２および図３に示すように、枠本体２５の上部に配置される部材である。また、第１枠形成部材２１は、上面部２１ａと、上面部２１ａの縁から立設される側面部２１ｂ，２１ｃ，２１ｄ，２１ｅとから形成されており、下部に開口２１ｆを有する略直方体形状の箱形を呈している。側面部２１ｂ，２１ｃ，２１ｄ，２１ｅは、第１側面部２１ｂ、第２側面部２１ｃ、第３側面部２１ｄおよび第４側面部２１ｅを含む。また、第１側面部２１ｂの縁部には、壁面に対する位置決め用のフランジ部２６が縁部から外方に屈曲するように形成されている。さらに、第２側面部２１ｃには、後述するネジ３２が挿通可能なネジ貫通孔３２ａが設けられている。また、第４側面部２１ｅには、後述するネジ３１が挿通可能なネジ貫通孔３１ａが設けられている。
【００２９】
第２枠形成部材２２は、図２および図３に示すように、枠本体２５の右側部に配置される部材である。また、第２枠形成部材２２は、第１側面部２２ａと、第１側面部２２ａの縁から立設される上面部２２ｂ、底面部２２ｃ、第２側面部２２ｄおよび第３側面部２２ｅとから形成されており、左側部に開口２２ｆを有する略直方体形状の箱状を呈している。また、第２側面部２２ｄの縁部には、壁面に対する位置決め用のフランジ部２７ａが縁部から外方向に屈曲するように形成されている。さらに、上面部２２ｂの縁部にはフランジ部２７ｂが縁部から外方向に屈曲するように形成されている。また、このフランジ部２７ｂには、第１枠形成部材２１と第２枠形成部材２２とが組み合わされた状態で、第１枠形成部材２１のネジ貫通孔３１ａに対向する位置に、ネジ３１が挿通可能なネジ貫通孔３１ｂが設けられている。また、底面部２２ｃには、後述するネジ３３が挿通可能なネジ貫通孔３３ａが設けられている。
【００３０】
第３枠形成部材２３は、図２および図３に示すように、枠本体２５の左側部に配置される部材である。また、第３枠形成部材２３は、第１側面部２３ａと、第１側面部２３ａの縁から立設される上面部２３ｂ、底面部２３ｃ、第２側面部２３ｄおよび第３側面部２３ｅとから形成されており、右側部に開口２３ｆを有する略直方体形状の箱状を呈している。また、第２側面部２３ｄの縁部には、壁面に対する位置決め用のフランジ部２８ａが縁部から外方向に屈曲するように形成されている。さらに、上面部２３ｂの縁部にはフランジ部２８ｂが縁部から外方向に屈曲するように形成されている。また、このフランジ部２８ｂには、第１枠形成部材２１と第３枠形成部材２３とが組み合わされた状態で、第１枠形成部材２１のネジ貫通孔３２ａと対向する位置に、ネジ３２が挿通可能なネジ貫通孔３２ｂが設けられている。また、底面部２３ｃには、後述するネジ３４が挿通可能なネジ貫通孔３４ａが設けられている。なお、本実施形態では、第２枠形成部材２２と第３枠形成部材２３とが、対称的な構造を有している。
【００３１】
第４枠形成部材２４は、図２および図３に示すように、枠本体２５の下部に配置される部材である。また、第４枠形成部材２４は、略長方形状の板状の部材である。さらに、第４枠形成部材２４の右側端部には、第２枠形成部材２２と第４枠形成部材２４とが組み合わされた状態で、第２枠形成部材２２のネジ貫通孔３３ａと対向する位置に、ネジ３３が挿通可能なネジ貫通孔３３ｂが設けられている。また、第４枠形成部材２４の左側端部には、第３枠形成部材２３と第４枠形成部材２４とが組み合わされた状態で、第３枠形成部材２３のネジ貫通孔３４ａと対向する位置に、ネジ３４が挿通可能なネジ貫通孔３４ｂが設けられている。
【００３２】
固定部材３１，３２，３３，３４は、ネジ３１，３２，３３，３４であって、枠本体２５の内側空間Ｓから各ネジ貫通孔３１ａ，３１ｂ，３２ａ，３２ｂ，３３ａ，３３ｂ，３４ａ，３４ｂに挿通されて、枠形成部材２１，２２，２３，２４同士を固定する。具体的には、ネジ３１は、ネジ貫通孔３１ａ、ネジ貫通孔３１ｂの順に挿通されて、第１枠形成部材２１と第２枠形成部材２２とを固定する。ネジ３２は、ネジ貫通孔３２ａ、ネジ貫通孔３２ｂの順に挿通されて、第１枠形成部材２１と第３枠形成部材２３とを固定する。ネジ３３は、ネジ貫通孔３３ａ、ネジ貫通孔３３ｂの順に挿通されて、第２枠形成部材２２と第４枠形成部材２４とを固定する。ネジ３４は、ネジ貫通孔３４ａ、ネジ貫通孔３４ｂの順に挿通されて、第３枠形成部材２３と第４枠形成部材２４とを固定する。
【００３３】
また、ネジ３１，３２，３３，３４は、枠本体２５の内側空間Ｓから各ネジ貫通孔３１ａ，３１ｂ，３２ａ，３２ｂ，３３ａ，３３ｂ，３４ａ，３４ｂに挿通されて、枠形成部材２１，２２，２３，２４同士を固定するとともに、枠本体２５を壁１０内に固定する。
【００３４】
次に、据付枠２０の壁１０内への装着作業について説明する。
【００３５】
＜据付枠の装着作業＞
まず、壁１０に設けられた据付用開口１０ａの縁に沿うように、第４枠形成部材２４と第２枠形成部材２２とが配置される。具体的には、作業者によって、第４枠形成部材２４のネジ貫通孔３３ｂと第２枠形成部材２２のネジ貫通孔３３ａとが対向するように、第４枠形成部材２４が水平方向に配置され、第４枠形成部材２４の近傍に第２枠形成部材２２が配置される。そして、ネジ３３の先端部３３ｃが、第２枠形成部材２２のネジ貫通孔３３ａ、第４枠形成部材２４のネジ貫通孔３３ｂの順に挿入されて、壁１０内の支柱１１に至る。これによって、第２枠形成部材２２および第４枠形成部材２４が、ネジ３３によって支柱１１に固定される（図４参照）。
【００３６】
次に、第３枠形成部材２３が、据付用開口１０ａの縁に沿うように配置される。具体的には、第４枠形成部材２４のネジ貫通孔３４ｂと第３枠形成部材２３のネジ貫通孔３４ａとが対向するように、第３枠形成部材２３が、第４枠形成部材２４近傍に配置される。そして、ネジ３４の先端部が、第３枠形成部材２３のネジ貫通孔３４ａ、第４枠形成部材２４のネジ貫通孔３４ｂの順に挿入されて、壁１０内の支柱１１に至る。これによって、第３枠形成部材２３と第４枠形成部材２４とが、ネジ３４によって支柱１１に固定される。
【００３７】
さらに、第１枠形成部材２１が、据付用開口１０ａの縁に沿うように配置される。具体的には、第２枠形成部材２２のネジ貫通孔３１ｂと第１枠形成部材２１のネジ貫通孔３１ａとが対向し、かつ、第３枠形成部材２３のネジ貫通孔３２ｂと第１枠形成部材２１のネジ貫通孔３２ａとが対向するように、第１枠形成部材２１が、第２枠形成部材２２および第３枠形成部材２３の近傍に配置される。そして、ネジ３１の先端部３１ｃが、第１枠形成部材２１のネジ貫通孔３１ａ、第２枠形成部材２２のネジ貫通孔３１ｂの順に挿入されて、壁１０内の支柱１１に至る。これによって、第１枠形成部材と第２枠形成部材２２とが、ネジ３１によって支柱１１に固定される（図５参照）。さらに、ネジ３２の先端部が、第１枠形成部材２１のネジ貫通孔３２ａ、第３枠形成部材２３のネジ貫通孔３２ｂの順に挿入されて、壁１０内の支柱１１に至る。これによって、第１枠形成部材２１と第３枠形成部材２３とが、ネジ３２によって支柱１１に固定される。
【００３８】
このようにして、各枠形成部材２１，２２，２３，２４が組み合わされて枠本体２５が形成されると共に、据付枠２０が壁１０内に装着される。これによって、据付枠２０の装着作業が完了する。
【００３９】
さらに、据付枠２０の所定の位置に空調室内機１が固定されることで、空調室内機１が壁１０内に設置される。これによって、空調室内機１の据え付け作業が完了する。
【００４０】
また、据付枠２０を壁１０内から取り出す場合には、まず、作業者によって、空調室内機１の固定が解除され、空調室内機１が壁１０内から取り出される。次に、作業者によって、ネジ３１，３２のネジ止めが解除されることによって、第１枠形成部材２１が壁１０内から取り出される。また、作業者によって、ネジ３３のネジ止めが解除されることによって、第２枠形成部材２２が、壁１０内から取り出される。さらに、作業者によって、ネジ３４のネジ止めが解除されることによって、第３枠形成部材２３および第４枠形成部材２４が壁１０内から取り出される。これによって、据付枠２０を壁１０内から取り出すことができる。
【００４１】
＜特徴＞
（１）
上記実施形態では、枠本体２５は、第１枠形成部材２１、第２枠形成部材２２、第３枠形成部材２３および第４枠形成部材２４を有しており、各枠形成部材２１，２２，２３，２４が組み合わされることによって構成されている。また、ネジ３１，３２，３３，３４は、枠本体２５の内側空間Ｓから各ネジ貫通孔３１ａ，３１ｂ，３２ａ，３２ｂ，３３ａ，３３ｂ，３４ａ，３４ｂに挿通されて、枠形成部材２１，２２，２３，２４同士を固定するとともに、枠本体２５を壁１０内に固定する。このため、据付枠２０を、壁１０内の支柱１１に装着することができる。したがって、枠本体２５の内側空間Ｓからネジ３１，３２，３３，３４のネジ止めが解除されることで、各枠形成部材２１，２２，２３，２４を壁１０内から取り出すことができる。
【００４２】
これによって、壁が切開されて据付枠が取り出される場合と比較して、壁１０内からの据付枠２０の取り出し作業を簡素化することができている。
【００４３】
また、壁１０を切開することなく壁１０内から据付枠２０を取り出すことができるため、壁の修復等の施工費用を抑えることができる。
【００４４】
また、従来では、据付枠の取り出し作業が煩雑であるために、空調室内機の寸法が据付枠の寸法と合うように設計されることがある。このような場合、空調室内機に搭載される機能が制約されることがある。しかしながら、上記実施形態では、従来と比較して、壁１０内から据付枠２０を容易に取り外すことができるため、現在設置されている空調室内機の寸法と異なる寸法の空調室内機を設置する作業を簡素化することができる。したがって、据付枠２０の寸法に制約を受けるおそれを減らすことができるため、空調室内機の性能や機能の向上を実現することができる。
【００４５】
（２）
上記実施形態では、第１枠形成部材２１、第２枠形成部材２２および第３枠形成部材２３には、壁面に対する位置決め用のフランジ部２６，２７ａ，２８ａが形成されている。このため、例えば、枠形成部材にフランジ部が形成されていない場合と比較して、壁１０内における枠形成部材の位置を決めやすくすることができる。
【００４６】
これによって、据付枠２０の取り付け作業者の負担を軽減することができる。
【００４７】
−第２実施形態−
本発明の第２実施形態に係る据付枠１２０について説明する。なお、据付枠１２０に設置される空調室内機の構成は、第１実施形態の空調室内機と同様の構成である。
【００４８】
＜据付枠の構成＞
図６は、据付枠１２０の分解正面図であり、図７は、壁内に装着された状態を示す据付枠１２０の縦断面拡大図である。なお、ここでいう「上下」および「左右」は、図６における「上下」および「左右」を意味している。
【００４９】
据付枠１２０は、枠本体１２５と、固定部材１３１，１３２，１３３，１３４とを備えている。
【００５０】
枠本体１２５は、第１枠形成部材１２１、第２枠形成部材１２２、第３枠形成部材１２３および第４枠形成部材１２４を有しており、各枠形成部材１２１，１２２，１２３，１２４が組み合わされることによって構成される。
【００５１】
第１枠形成部材１２１は、図６に示すように、枠本体１２５の上部に配置される部材である。また、第１枠形成部材１２１は、上面部１２１ａと、上面部１２１ａの縁から立設される側面部１２１ｂ，１２１ｃ，１２１ｄ，１２１ｅとから形成されており、下部に開口１２１ｆを有する略直方体形状の箱形を呈している。側面部１２１ｂ，１２１ｃ，１２１ｄ，１２１ｅは、第１側面部１２１ｂ、第２側面部１２１ｃ、第３側面部１２１ｄおよび第４側面部１２１ｅを含む。また、第１側面部１２１ｂの縁部には、壁面に対する位置決め用のフランジ部１２６が縁部から外方に屈曲するように形成されている。さらに、第２側面部１２１ｃには、後述するネジ１３２が挿通可能なネジ貫通孔１３２ａが設けられている。また、上面部１２１ａの縁部すなわち端部（第３端部に相当）から立設されている第４側面部１２１ｅには、後述するネジ１３１が挿通可能なネジ貫通孔１３１ａが設けられている。
【００５２】
第２枠形成部材１２２は、図６に示すように、枠本体１２５の右側に配置される部材である。また、第２枠形成部材１２２は、第１側面部１２２ａと、第１側面部１２２ａの縁部から立設される上面部１２２ｂ、底面部１２２ｃ、第２側面部１２２ｄおよび第３側面部１２２ｅとから形成されており、左側部に開口１２２ｆを有する略直方体形状の箱状を呈している。また、第２側面部１２２ｄの縁部には、壁面に対する位置決め用のフランジ部１２７ａが縁部から外方向に屈曲するように形成されている。さらに、上面部１２２ｂの縁部には、フランジ部１２７ｂが縁部から外方向に屈曲するように形成されている。また、フランジ部１２７ｂには、第１枠形成部材１２１と第２枠形成部材１２２とが組み合わされた状態で、第１枠形成部材１２１のネジ貫通孔１３１ａに対向する位置に、ネジ１３１が挿通可能なネジ貫通孔１３１ｂが設けられている。さらに、底面部１２２ｃの縁部には、フランジ部１２７ｃが底面部１２２ｃの縁部から外方向に屈曲するように形成されている。また、フランジ部１２７ｃには、後述するネジ１３３が挿通可能なネジ貫通孔１３３ａが設けられている。
【００５３】
なお、第２枠形成部材１２２の上面部１２２ｂは、図７に示すように、第１枠形成部材１２１と第２枠形成部材１２２とが組み合わされてネジ１３１によって固定された状態で、第２枠形成部材１２２の上面部１２２ｂの縁部すなわち一方の端部（第１端部に相当）から上面部１２２ｂの他方の縁部すなわち他方の端部（第２端部に相当）までの距離Ｗ２が、ネジ１３１の先端部１３１ｃからフランジ部１２７ｂに設けられているネジ貫通孔１３１ｂまでの距離Ｗ１よりも長くなるように形成されている。また、第２枠形成部材１２２の底面部１２２ｃは、第２枠形成部材１２２と第４枠形成部材１２４とが組み合わされてネジ１３３によって固定された状態で、第２枠形成部材１２２の底面部１２２ｃの縁部すなわち一方の端部から底面部１２２ｃの他方の縁部すなわち他方の端部までの距離が、ネジ１３３の先端部からネジ貫通孔１３３ａまでの距離よりも長くなるように形成されている。
【００５４】
第３枠形成部材１２３は、図６に示すように、枠本体１２５の左側部に配置される部材である。また、第３枠形成部材１２３は、第１側面部１２３ａと、第１側面部１２３ａの縁から立設される上面部１２３ｂ、底面部１２３ｃ、第２側面部１２３ｄおよび第３側面部１２３ｅとから形成されており、右側部に開口１２３ｆを有する略直方体形状の箱状を呈している。また、第２側面部１２３ｄの縁部には、壁面に対する位置決め用のフランジ部１２８ａが縁部から外方向に屈曲するように形成されている。さらに、上面部１２３ｂの縁部にはフランジ部１２８ｂが縁部から外方向に屈曲するように形成されている。また、このフランジ部１２８ｂには、第１枠形成部材１２１と第３枠形成部材１２３とが組み合わされた状態で、第１枠形成部材１２１のネジ貫通孔１３２ａと対向する位置に、ネジ１３２が挿通可能なネジ貫通孔１３２ｂが設けられている。また、底面部１２３ｃの縁部には、フランジ部１２８ｃが底面部１２３ｃの縁部から外方向に屈曲するように形成されている。また、フランジ部１２８ｃには、後述するネジ１３４が挿通可能なネジ貫通孔１３４ａが設けられている。
【００５５】
なお、本実施形態では、第３枠形成部材１２３と第２枠形成部材１２２とが、対称的な構造を有している。また、第３枠形成部材１２３の上面部１２３ｂは、第１枠形成部材１２１と第３枠形成部材１２３とが組み合わされてネジ１３２によって固定された状態で、第３枠形成部材１２３の上面部１２３ｂの縁部すなわち一方の端部から上面部１２３ｂの他方の縁部すなわち他方の端部までの距離が、ネジ１３２の先端部からネジ貫通孔１３２ｂまでの距離よりも長くなるように形成されている。また、第３枠形成部材１２３の底面部１２３ｃは、第３枠形成部材１２３と第４枠形成部材１２４とが組み合わされてネジ１３４によって固定された状態で、第３枠形成部材１２３の底面部１２３ｃの縁部すなわち一方の端部から底面部１２３ｃの他方の縁部すなわち他方の端部までの距離が、ネジ１３４の先端部からネジ貫通孔１３４ａまでの距離よりも長くなるように形成されている。
【００５６】
第４枠形成部材１２４は、図６に示すように、枠本体１２５の下部に配置される部材である。また、第４枠形成部材１２４は、底面部１２４ａと、底面部１２４ａの縁から立設される側面部１２４ｂ，１２４ｃ，１２４ｄ，１２４ｅとから形成されており、上部に開口１２４ｆを有する略直方体形状の箱形を呈している。側面部１２４ｂ，１２４ｃ，１２４ｄ，１２４ｅは、第１側面部１２４ｂ、第２側面部１２４ｃ、第３側面部１２４ｄおよび第４側面部１２４ｅを含む。また、第１側面部１２４ｂの縁部には、壁面に対する位置決め用のフランジ部１２９が縁部から外方に屈曲するように形成されている。さらに、第２側面部１２４ｃには、第３枠形成部材１２３と第４枠形成部材１２４とが組み合わされた状態で、第３枠形成部材１２３のネジ貫通孔１３４ａに対向する位置に、ネジ１３４が挿通可能なネジ貫通孔１３４ｂが設けられている。また、第４側面部１２１ｅには、第２枠形成部材１２２と第４枠形成部材１２４とが組み合わされた状態で、第２枠形成部材１２２のネジ貫通孔１３３ａに対向する位置に、ネジ１３３が挿通可能なネジ貫通孔１３３ｂが設けられている。
【００５７】
固定部材１３１，１３２，１３３，１３４は、ネジ１３１，１３２，１３３，１３４であって、枠本体１２５の内側空間から各ネジ貫通孔に挿通されて、各枠形成部材１２１，１２２，１２３，１２４を固定することができる。
【００５８】
次に、据付枠１２０の壁内への装着作業について説明する。
【００５９】
＜据付枠の装着作業＞
作業者によって、第４枠形成部材１２４の底面部１２４ａが水平方向に平行になるように第４枠形成部材１２４が配置され、ネジ貫通孔１３３ｂとネジ貫通孔１３３ａとが対向するように第２枠形成部材１２２が第４枠形成部材１２４近傍に配置される。そして、ネジ１３３の先端部が、第４枠形成部材１２４のネジ貫通孔１３３ｂ、第２枠形成部材１２２のネジ貫通孔１３３ａの順に挿入される。言い換えると、ネジ１３３の先端部が、水平方向に移動される。このようにして、第２枠形成部材１２２と第４枠形成部材１２４とが、ネジ１３３によって固定される。
【００６０】
次に、作業者によって、ネジ貫通孔１３４ｂとネジ貫通孔１３４ａとが対向するように、第３枠形成部材１２３が第４枠形成部材１２４近傍に配置される。そして、ネジ１３４の先端部が、第４枠形成部材１２４のネジ貫通孔１３４ｂ、第３枠形成部材１２３のネジ貫通孔１３４ａの順に挿入される。言い換えると、ネジ１３４の先端部が、水平方向に移動される。このようにして、第３枠形成部材１２３と第４枠形成部材１２４とが、ネジ１３４によって固定される。
【００６１】
さらに、作業者によって、ネジ貫通孔１３１ｂとネジ貫通孔１３１ａとが対向し、かつ、ネジ貫通孔１３２ｂとネジ貫通孔１３２ａとが対向するように、第１枠形成部材１２１が第２枠形成部材１２２および第３枠形成部材１２３近傍に配置される。そして、ネジ１３１の先端部１３１ｃが、第１枠形成部材１２１のネジ貫通孔１３１ａ、第２枠形成部材１２２のネジ貫通孔１３１ｂの順に挿入される。言い換えると、ネジ１３１の先端部１３１ｃが、水平方向に移動される。このようにして、第１枠形成部材と第２枠形成部材１２２とが、ネジ１３１によって固定される。さらに、ネジ１３２の先端部が、第１枠形成部材１２１のネジ貫通孔１３２ａ、第３枠形成部材１２３のネジ貫通孔１３２ｂの順に挿入される。言い換えると、ネジ１３２の先端部が、水平方向に移動される。このようにして、第１枠形成部材１２１と第３枠形成部材１２３とが、ネジ１３２によって固定される。
【００６２】
これによって、各枠形成部材１２１，１２２，１２３，１２４が組み合わされてネジ１３１，１３２，１３３，１３４によって固定され、据付枠１２０が形成される。そして、据付枠１２０が壁内の支柱１１１に固定されることで、据付枠１２０の装着作業が完了する。
【００６３】
さらに、据付枠１２０の所定の位置に空調室内機が固定されることで、空調室内機が壁内に設置される。これによって、空調室内機の据え付け作業が完了する。
【００６４】
また、据付枠１２０を壁内から取り出す場合には、まず、作業者によって、空調室内機の固定が解除され、空調室内機が壁内から取り出される。次に、作業者によって、据付枠１２０と支柱１１１との固定が解除される。そして、作業者によって、据付枠１２０が壁内から取り出される。
【００６５】
＜特徴＞
上記実施形態では、各ネジ１３１，１３２，１３３，１３４の先端部が枠本体１２５の内側空間から外側空間に向かって水平方向に各ネジ貫通孔１３１ａ，１３１ｂ，１３２ａ，１３２ｂ，１３３ａ，１３３ｂ，１３４ａ，１３４ｂに挿通される。また、第２枠形成部材１２２の上面部１２２ｂは、第１枠形成部材１２１と第２枠形成部材１２２とが組み合わされてネジ１３１によって固定された状態で、第２枠形成部材１２２の上面部１２２ｂの端部から端部までの距離Ｗ２がネジ１３１の先端部１３１ｃからフランジ部１２７ｃに形成されているネジ貫通孔１３１ｂまでの距離Ｗ１よりも長くなるように形成されている。さらに、第２枠形成部材１２２の底面部１２２ｃは、第２枠形成部材１２２と第４枠形成部材１２４とが組み合わされてネジ１３３によって固定された状態で、第２枠形成部材１２２の底面部１２２ｃの端部から端部までの距離がネジ１３３の先端部からネジ貫通孔１３３ａまでの距離よりも長くなるように形成されている。また、第３枠形成部材１２３の上面部１２３ｂは、第１枠形成部材１２１と第３枠形成部材１２３とが組み合わされてネジ１３２によって固定された状態で、第３枠形成部材１２３の上面部１２３ｂの端部から端部までの距離がネジ１３２の先端部からネジ貫通孔１３２ｂまでの距離よりも長くなるように形成されている。さらに、第３枠形成部材１２３の底面部１２３ｃは、第３枠形成部材１２３と第４枠形成部材１２４とが組み合わされてネジ１３４によって固定された状態で、第３枠形成部材１２３の底面部１２３ｃの端部から端部までの距離がネジ１３４の先端部からネジ貫通孔１３４ａまでの距離よりも長くなるように形成されている。このため、据付枠１２０が壁内に設置されても、各ネジ１３１，１３２，１３３，１３４の先端が支柱１１１と接触しないようにすることができる。
【００６６】
これによって、据付枠１２０を組み立てた後に、据付枠１２０を壁内に装着することができる。また、据付枠１２０を壁内から取り出す際に、据付枠１２０と支柱１１１との固定を解除することによって、据付枠１２０を分解することなく壁内から取り出すことができる。
【００６７】
これによって、据付枠１２０の壁内からの取り出し作業を簡素化することができている。
【００６８】
＜変形例＞
上記実施形態では、各ネジ１３１，１３２，１３３，１３４の先端部が枠本体１２５の内側空間から外側空間に向かって水平方向に各ネジ貫通孔１３１ａ，１３１ｂ，１３２ａ，１３２ｂ，１３３ａ，１３３ｂ，１３４ａ，１３４ｂに挿通されている。
【００６９】
これに代えて、据付枠が壁内に設置された状態で各ネジの先端部が支柱に接触しなければ、各ネジが、枠本体の内側空間から外側空間に向かって鉛直方向に各ネジ貫通孔に挿通されてもよい。
【００７０】
例えば、図８に示すように、第１枠形成部材３２１と第２枠形成部材３２２とを固定するためのネジ３３１および第１枠形成部材３２１と第３枠形成部材３２３とを固定するためのネジ３３２が枠本体３２５の内側空間から外側空間に向かって鉛直方向に挿通可能なように、枠本体３２５の上部を構成する第１枠形成部材３２１、第２枠形成部材３２２および第３枠形成部材３２３が構成されていてもよい。なお、ここでいう「上下」および「左右」は、図８における「上下」および「左右」を意味している。
【００７１】
具体的には、枠本体３２５の上部に配置される第１枠形成部材３２１は、略長方形状の板状の部材である。また、第１枠形成部材３２１の右側端部には、ネジ３３１が挿通可能なネジ貫通孔３３１ａが形成されている。また、第１枠形成部材３２１の左側端部には、ネジ３３２が挿通可能なネジ貫通孔３３２ａが形成されている。
【００７２】
枠本体３２５の右側に配置される第２枠形成部材３２２は、第１側面部３２２ａと、第１側面部３２２ａの縁から立設される上面部３２２ｂ、底面部３２２ｃ、第２側面部３２２ｄおよび第３側面部３２２ｅとから形成されており、左側部に開口３２２ｆを有する略直方体形状の箱状を呈している。また、第２側面部３２２ｄの縁部には、壁面に対する位置決め用のフランジ部３２７ａが縁部から外方向に屈曲するように形成されている。また、底面部３２２ｃの縁部には、フランジ部３２７ｃが底面部３２２ｃの縁部から外方向に屈曲するように形成されている。さらに、上面部３２２ｂには、第１枠形成部材３２１と第２枠形成部材３２２とが組み合わされた状態で、第１枠形成部材３２１のネジ貫通孔３３１ａに対向する位置に、ネジ３３１が挿通可能なネジ貫通孔３３１ｂが設けられている。また、フランジ部３２７ｃには、ネジ３３３が挿通可能なネジ貫通孔３３３ａが設けられている。なお、第２枠形成部材３２２の底面部３２２ｃは、第２枠形成部材３２２と第４枠形成部材３２４とが組み合わされてネジ３３３によって固定された状態で、第２枠形成部材３２２の底面部３２２ｃの端部から端部までの距離がネジ３３３の先端部からネジ貫通孔３３３ａまでの距離よりも長くなるように形成されている。
【００７３】
枠本体３２５の左側に配置される第３枠形成部材３２３は、第１側面部３２３ａと、第１側面部３２３ａの縁から立設される上面部３２３ｂ、底面部３２３ｃ、第２側面部３２３ｄおよび第３側面部３２３ｅとから形成されており、右側部に開口３２３ｆを有する略直方体形状の箱状を呈している。また、第２側面部３２３ｄの縁部には、壁面に対する位置決め用のフランジ部３２８ａが縁部から外方向に屈曲するように形成されている。底面部３２３ｃの縁部には、フランジ部３２８ｃが底面部３２３ｃの縁部から外方向に屈曲するように形成されている。また、上面部３２３ｂには、第１枠形成部材３２１と第３枠形成部材３２３とが組み合わされた状態で、第１枠形成部材３２１のネジ貫通孔３３２ａと対向する位置に、ネジ３３２が挿通可能なネジ貫通孔３３２ｂが設けられている。また、フランジ部３２８ｃには、ネジ３３４が挿通可能なネジ貫通孔３３４ａが設けられている。なお、第３枠形成部材３２３の底面部３２３ｃは、第３枠形成部材３２３と第４枠形成部材３２４とが組み合わされてネジ３３４によって固定された状態で、第３枠形成部材３２３の底面部３２３ｃの端部から端部までの距離がネジ３３４の先端部からネジ貫通孔３３４ａまでの距離よりも長くなるように形成されている。
【００７４】
枠本体３２５の下部に配置される第４枠形成部材３２４は、底面部３２４ａと、底面部３２４ａの縁から立設される側面部３２４ｂ，３２４ｃ，３２４ｄ，３２４ｅとから形成されており、上部に開口３２４ｆを有する略直方体形状の箱形を呈している。側面部３２４ｂ，３２４ｃ，３２４ｄ，３２４ｅは、第１側面部３２４ｂ、第２側面部３２４ｃ、第３側面部３２４ｄおよび第４側面部３２４ｅを含む。また、第１側面部３２４ｂの縁部には、壁面に対する位置決め用のフランジ部３２９が縁部から外方に屈曲するように形成されている。さらに、第２側面部３２４ｃには、第４枠形成部材３２４と第３枠形成部材３２３とが組み合わされた状態で、第３枠形成部材３２３のネジ貫通孔３３４ａに対向する位置に、ネジ３３４が挿通可能なネジ貫通孔３３４ｂが設けられている。また、第４側面部３２４ｅには、第４枠形成部材３２４と第２枠形成部材３２２とが組み合わされた状態で、第２枠形成部材３２２のネジ貫通孔３３３ａに対向する位置に、ネジ３３３が挿通可能なネジ貫通孔３３３ｂが設けられている。
【００７５】
また、据付枠３２０の組み立て方法は、まず、作業者によって、第４枠形成部材３２４の底面部３２４ａが水平方向に平行になるように第４枠形成部材３２４が配置され、ネジ貫通孔３３３ａとネジ貫通孔３３３ｂとが対向するように第２枠形成部材３２２が第４枠形成部材３２４近傍に配置される。そして、ネジ３３３の先端部が、第４枠形成部材３２４のネジ貫通孔３３３ｂ、第２枠形成部材３２２のネジ貫通孔３３３ａの順に挿入される。言い換えると、ネジ３３３の先端部が、水平方向に移動される。このようにして、第４枠形成部材３２４と第２枠形成部材３２２とが、ネジ３３３によって固定される。
【００７６】
次に、作業者によって、ネジ貫通孔３３４ａとネジ貫通孔３３４ｂとが対向するように、第３枠形成部材３２３が第４枠形成部材３２４近傍に配置される。そして、ネジ３３４の先端部が、第４枠形成部材３２４のネジ貫通孔３３４ｂ、第３枠形成部材３２３のネジ貫通孔３３４ａの順に挿入される。言い換えると、ネジ３３４の先端部が、水平方向に移動される。このようにして、第３枠形成部材３２３と第４枠形成部材３２４とが、ネジ３３４によって固定される。
【００７７】
さらに、作業者によって、ネジ貫通孔３３１ａとネジ貫通孔３３１ｂとが対向し、かつ、ネジ貫通孔３３２ａとネジ貫通孔３３２ｂとが対向するように、第１枠形成部材３２１が第２枠形成部材３２２および第３枠形成部材３２３近傍に配置される。そして、ネジ３３１の先端部３３１ｃが、第２枠形成部材３２２のネジ貫通孔３３１ｂ、第１枠形成部材３２１のネジ貫通孔３３１ａの順に挿入される。言い換えると、ネジ３３１の先端部１３１ｃが、下側から上側に向かう方向に、すなわち、鉛直方向に対して平行に移動される。このようにして、第１枠形成部材と第２枠形成部材３２２とが、ネジ３３１によって固定される（図９参照）。さらに、ネジ３３２の先端部が、第３枠形成部材３２３のネジ貫通孔３３２ｂ、第１枠形成部材３２１のネジ貫通孔３３２ａの順に挿入される。言い換えると、ネジ３３２の先端部が、下側から上側に向かう方向に、すなわち、鉛直方向に対して平行に移動される。このようにして、第１枠形成部材３２１と第３枠形成部材３２３とが、ネジ３３２によって固定される。
【００７８】
これによって、各枠形成部材３２１，３２２，３２３，３２４が組み合わされてネジ３３１，３３２，３３３，３３４によって固定され、据付枠３２０が形成される。そして、据付枠３２０が壁内の支柱３１１に固定されることで、据付枠３２０の装着作業が完了する。
【００７９】
このように、枠本体３２５において、第１枠形成部材３２１、第２枠形成部材３２２および第３枠形成部材３２３の構成を変更することによって、ネジ３３１，３３２を鉛直方向対して平行に移動させてネジ止めしても、ネジ３３１，３３２の先端部が支柱３１１と接触しないようにすることができる。
【００８０】
これによって、据付枠３２０を壁内に取り付ける際に、各枠形成部材３２１，３２２，３２３，３２４をネジ３３１，３３２，３３３，３３４によって固定した後に、据付枠３２０を壁内に装着することができる。また、据付枠３２０を壁内から取り出す場合に、組み立てられた据付枠３２０の組み立てを解除しなくても、壁内から取り出すことができる。
【００８１】
−第３実施形態−
本発明の第３実施形態に係る据付枠２２０について説明する。なお、据付枠２２０に設置される空調室内機は、第１実施形態の空調室内機と同様の構成である。
【００８２】
＜据付枠の構成＞
図１０は、据付枠２２０の概略正面図であり、図１１は、壁内の支柱２１１に装着された据付枠２２０の縦断面拡大図である。
【００８３】
据付枠２２０は、枠本体２２５と、固定部材２３１，２３２，２３３，２３４とを備えている。
【００８４】
枠本体２２５は、第１枠形成部材２２１、第２枠形成部材２２２、第３枠形成部材２２３および第４枠形成部材２２４を有しており、各枠形成部材２２１，２２２，２２３，２２４が組み合わされることによって構成される。
【００８５】
第１枠形成部材２２１は、図１０に示すように、枠本体２２５の上部に配置される部材である。また、第１枠形成部材２２１は、上面部２２１ａと、上面部２２１ａの縁から立設される側面部２２１ｂ，２２１ｃ，２２１ｄ，２２１ｅとから形成されており、下部に開口２２１ｆを有する略直方体形状の箱形を呈している。側面部２２１ｂ，２２１ｃ，２２１ｄ，２２１ｅは、第１側面部２２１ｂ、第２側面部２２１ｃ、第３側面部２２１ｄおよび第４側面部２２１ｅを含む。また、第１側面部２２１ｂの縁部には、壁面に対する位置決め用のフランジ部２２６が縁部から外方に屈曲するように形成されている。さらに、第２側面部２２１ｃには、ネジ２３２が挿通可能なネジ貫通孔２３２ａが設けられている。また、上面部２２１ａの縁部、すなわち、端部から立設されている第４側面部２２１ｅには、後述するネジ２３１が挿通可能なネジ貫通孔２３１ａが設けられている。
【００８６】
第２枠形成部材２２２は、図１０に示すように、枠本体２２５の右側部に配置される部材である。また、第２枠形成部材２２２は、略長方形状の板状の部材である。さらに、第２枠形成部材２２２の上側端部には、第１枠形成部材２２１と第２枠形成部材２２２とが組み合わされた状態で、第１枠形成部材２２１のネジ貫通孔２３１ａと対向する位置に、ネジ２３１が挿通可能なネジ貫通孔２３１ｂが設けられている。また、第２枠形成部材２２２の下側端部には、後述するネジ２３３が挿通可能なネジ貫通孔２３３ａが設けられている。
【００８７】
第３枠形成部材２２３は、図１０に示すように、枠本体２２５の左側部に配置される部材である。また、第３枠形成部材２２３は、略長方形状の板状の部材である。さらに、第３枠形成部材２２３の上側端部には、第１枠形成部材２２１と第３枠形成部材２２３とが組み合わされた状態で、第１枠形成部材２２１のネジ貫通孔２３２ａと対向する位置に、ネジ２３２が挿通可能なネジ貫通孔２３２ｂが設けられている。また、第３枠形成部材２２３の下側端部には、後述するネジ２３４が挿通可能なネジ貫通孔２３４ａが設けられている。
【００８８】
第４枠形成部材２２４は、図１０に示すように、枠本体２２５の下部に配置される部材である。また、第４枠形成部材２２４は、底面部２２４ａと、底面部２２４ａの縁から立設される側面部２２４ｂ，２２４ｃ，２２４ｄ，２２４ｅとから形成されており、上部に開口２２４ｆを有する略直方体形状の箱形を呈している。側面部２２４ｂ，２２４ｃ，２２４ｄ，２２４ｅは、第１側面部２２４ｂ、第２側面部２２４ｃ、第３側面部２２４ｄおよび第４側面部２２４ｅを含む。また、第１側面部２２４ｂの縁部には、壁面に対する位置決め用のフランジ部２２９が縁部から外方に屈曲するように形成されている。さらに、第２側面部２２４ｃには、第４枠形成部材２２４と第３枠形成部材２２３とが組み合わされた状態で、第３枠形成部材２２３のネジ貫通孔２３４ａと対向する位置に、ネジ２３４が挿通可能なネジ貫通孔２３４ｂが設けられている。また、第４側面部２２１ｅには、第４枠形成部材２２４と第２枠形成部材２２２とが組み合わされた状態で、第２枠形成部材２２２のネジ貫通孔２３３ａと対向する位置に、ネジ２３３が挿通可能なネジ貫通孔２３３ｂが設けられている。
【００８９】
固定部材２３１，２３２，２３３，２３４は、ネジ２３１，２３２，２３３，２３４であって、枠本体２２５の内側空間から各ネジ貫通孔２３１ａ，２３１ｂ，２３２ａ，２３２ｂ，２３３ａ，２３３ｂ，２３４ａ，２３４ｂに挿通されて、枠形成部材２２１，２２２，２２３，２２４同士を固定する。具体的には、ネジ２３１は、ネジ貫通孔２３１ａ、ネジ貫通孔２３１ｂの順に挿通されて、第１枠形成部材２２１と第２枠形成部材２２２とを固定する。ネジ２３２は、ネジ貫通孔２３２ａ、ネジ貫通孔２３２ｂの順に挿通されて、第１枠形成部材２２１と第３枠形成部材２２３とを固定する。ネジ２３３は、ネジ貫通孔２３３ｂ、ネジ貫通孔２３３ａの順に挿通されて、第２枠形成部材２２２と第４枠形成部材２２４とを固定する。ネジ２３４は、ネジ貫通孔２３４ｂ、ネジ貫通孔２３４ａの順に挿通されて、第３枠形成部材２２３と第４枠形成部材２２４とを固定する。
【００９０】
また、ネジ２３１，２３２，２３３，２３４は、枠本体２２５の内側空間から各ネジ貫通孔２３１ａ，２３１ｂ，２３２ａ，２３２ｂ，２３３ａ，２３３ｂ，２３４ａ，２３４ｂに挿通されて、枠形成部材２２１，２２２，２２３，２２４同士を固定するとともに、枠本体２２５を壁内に固定する。
【００９１】
次に、据付枠２２０の壁内への装着作業について説明する。
【００９２】
＜据付枠の装着作業＞
まず、作業者によって、壁に設けられた据付用開口の縁に沿うように、第４枠形成部材２２４と第２枠形成部材２２２とが配置される。具体的には、第４枠形成部材２２４の底面部２２４ａが水平方向に平行になるように第４枠形成部材２２４が配置され、ネジ貫通孔２３３ｂとネジ貫通孔２３３ａとが対向するように第２枠形成部材２２２が第４枠形成部材２２４近傍に配置される。そして、ネジ２３３の先端部が第４枠形成部材２２４のネジ貫通孔２３３ｂ、第２枠形成部材２２２のネジ貫通孔２３３ａの順に挿入されて、第２枠形成部材２２２と第４枠形成部材２２４とが、ネジ２３３によって支柱２１１に固定される。
【００９３】
次に、作業者によって、ネジ貫通孔２３４ｂとネジ貫通孔２３４ａとが対向するように、第３枠形成部材２２３が第４枠形成部材２２４の近傍に配置される。そして、ネジ２３４の先端部が第４枠形成部材２２４のネジ貫通孔２３４ｂ、第３枠形成部材２２３のネジ貫通孔２３４ａの順に挿入されて、第３枠形成部材２２３と第４枠形成部材２２４とが、ネジ２３４によって支柱２１１に固定される。
【００９４】
さらに、作業者によって、ネジ貫通孔２３１ｂとネジ貫通孔２３１ａとが対向し、かつ、ネジ貫通孔２３２ｂとネジ貫通孔２３２ａとが対向するように、第１枠形成部材２２１が第２枠形成部材２２２および第３枠形成部材２２３の近傍に配置される。そして、ネジ２３１の先端部２３１ｃが第１枠形成部材２２１のネジ貫通孔２３１ａ、第２枠形成部材２２２のネジ貫通孔２３１ｂの順に挿入されて、第１枠形成部材２２１と第２枠形成部材２２２とが、ネジ２３１によって支柱２１１に固定される（図１１参照）。さらに、ネジ２３２の先端部が第１枠形成部材２２１のネジ貫通孔２３２ａ、第３枠形成部材２２３のネジ貫通孔２３２ｂの順に挿入されて、第１枠形成部材２２１と第３枠形成部材２２３とが、ネジ２３２によって支柱２１１に固定される。
【００９５】
これによって、各枠形成部材２２１，２２２，２２３，２２４が組み立てられると共に、据付枠２２０が壁内の支柱２１１に固定される。これによって、据付枠２２０の装着作業が完了する。
【００９６】
そして、作業者によって、据付枠２２０の所定の位置に空調室内機が固定されることで、空調室内機が壁内に設置される。これによって、空調室内機の据え付け作業が完了する。
【００９７】
また、据付枠２２０を壁内から取り出す場合には、まず、作業者によって、空調室内機の固定が解除され、空調室内機が壁内から取り出される。次に、作業者によって、ネジ２３１およびネジ２３２の固定が解除されることによって、第１枠形成部材２２１が壁内から取り出される。そして、作業者によって、ネジ２３３の固定が解除されることによって、第２枠形成部材２２２が、壁内から取り出される。さらに、作業者によって、ネジ２３４の固定が解除されることによって、第３枠形成部材２２３および第４枠形成部材２２４が壁内から取り出される。これによって、据付枠２２０を壁内から取り出すことができる。
【００９８】
＜特徴＞
上記実施形態では、第２枠形成部材２２２と第４枠形成部材２２４とが、ネジ２３３によって支柱２１１に固定される。また、第３枠形成部材２２３と第４枠形成部材２２４とが、ネジ２３４によって支柱２１１に固定される。さらに、第１枠形成部材と第２枠形成部材２２２とが、ネジ２３１によって支柱２１１に固定される。そして、第１枠形成部材２２１と第３枠形成部材２２３とが、ネジ２３２によって支柱２１１に固定される。このため、ネジ２３１，２３２，２３３，２３４によって、各枠形成部材２２１，２２２，２２３，２２４が固定されるとともに、据付枠２２０が支柱２１１に固定される。したがって、例えば、各枠形成部材を固定するためのネジとは別に、据付枠を壁内の支柱に固定するための固定部材が用いられる場合と比較して、部品点数を削減することができる。
【産業上の利用可能性】
【００９９】
本発明は、壁内からの取り出し作業を簡素化することができる据付枠についての発明であるため、壁埋込型の空調室内機を設置するための据付枠への適用が有効である。
【符号の説明】
【０１００】
１      空調室内機
１２１      第１枠形成部材（枠形成部材／第２枠形成部材）
１２１ａ    上面部（第３板部）
１２１ｅ    第４側面部（第２フランジ部）
１２２      第２枠形成部材（枠形成部材／第１枠形成部材）
１２２ａ    第１側面部（第２板部）
１２２ｂ    上面部（第１板部）
１２７ｂ    フランジ部（第１フランジ部）
１３１ａ    ネジ貫通孔（ネジ貫通孔／第２のネジ貫通孔）
１３１ｂ    ネジ貫通孔（ネジ貫通孔／第１のネジ貫通孔）
１３１ｃ    先端部
２２１      第１枠形成部材（枠形成部材／第１枠形成部材）
２２１ａ    上面部（第１板部）
２２１ｅ    第４側面部（フランジ部）
２２２      第２枠形成部材（枠形成部材／第２枠形成部材）
２３１ａ    ネジ貫通孔（ネジ貫通孔／第１のネジ貫通孔）
２３１ｂ    ネジ貫通孔（ネジ貫通孔／第２のネジ貫通孔）
２０，１２０，２２０，３２０  据付枠
２１，３２１  第１枠形成部材（枠形成部材）
２２，３２２  第２枠形成部材（枠形成部材）
２３，１２３，２２３，３２３  第３枠形成部材（枠形成部材）
２４，１２４，２２４，３２４  第４枠形成部材（枠形成部材）
２５，１２５，２２５，３２５  枠本体
３１，３２，３３，３４，１３１，１３２，１３３，１３４，２３１，２３２，２３３，２３４，３３１，３３２，３３３，３３４      ネジ
３１ａ，３１ｂ，３２ａ，３２ｂ，３３ａ，３３ｂ，３４ａ，３４ｂ，１３２ａ，１３２ｂ，１３３ａ，１３３ｂ，１３４ａ，１３４ｂ，２３２ａ，２３２ｂ，２３３ａ，２３３ｂ，２３４ａ，２３４ｂ，３３１ａ，３３１ｂ，３３２ａ，３３２ｂ，３３３ａ，３３３ｂ，３３４ａ，３３４ｂ      ネジ貫通孔
【先行技術文献】
【特許文献】
【０１０１】
【特許文献１】特開平５−１８７６６１
【図１】
2010190502.tif 000003
【図２】
2010190502.tif 000004
【図３】
2010190502.tif 000005
【図４】
2010190502.tif 000006
【図５】
2010190502.tif 000007
【図６】
2010190502.tif 000008
【図７】
2010190502.tif 000009
【図８】
2010190502.tif 000010
【図９】
2010190502.tif 000011
【図１０】
2010190502.tif 000012
【図１１】
2010190502.tif 000013